(57)【要約】【課題】面積を有効に活用できるカレンダーを提供する。【解決手段】第１の５か月間カレンダー１２Ａには、１月の月間カレンダー１４Ｎ１、２月の月間カレンダー１４Ｎ２、３月の月間カレンダー１４Ｎ３、４月の月間カレンダー１６Ｎ１、及び５月の月間カレンダー１６Ｎ２が印刷されている。１月の月間カレンダー１４Ｎ１〜５月の月間カレンダー１６Ｎ２の内の時間的に早い３か月分の１月の月間カレンダー１４Ｎ１〜３月の月間カレンダー１４Ｎ３は、同じ長方形及び同じ第１の面積であり、時間的遅い残りの２か月分の４月の月間カレンダー１６Ｎ１及び５月の月間カレンダー１６Ｎ２は、同じ長方形及び同じ第２の面積である。第１の面積は、第２の面積より大きい。従って、現在の日に時間的近い月の各日の曜日をより認識し易くなる。よって、カレンダーの面積を有効に活用できる。【選択図】図１
0003202043.tif 000002
【実用新案登録請求の範囲】
【請求項１】
連続する第１の数の月の月間カレンダーと、
前記第１の数の月よりも時間的遅い連続する第２の数の月の月間カレンダーと、
を表示するカレンダーであって、
前記第１の数の月の月間カレンダーの各々の第１の面積は、前記第２の数の月の月間カレンダーの各々の第２の面積より大きい
ことを特徴とするカレンダー。
【請求項２】
前記第１の数は、前記第２の数より多いことを特徴する請求項１に記載のカレンダー。
【請求項３】
前記第１の数は３であり、前記第２の数は２である請求項１又は２に記載のカレンダー。
【考案の詳細な説明】
【技術分野】
【０００１】
本考案は、カレンダーに関する。
【背景技術】
【０００２】
一般的に，カレンダーの主な役割は，現在の該当する日の曜日の確認とこれから先の日の曜日の確認である。各月間カレンダーは、同じ面積で表示されている。
【先行技術文献】
【特許文献】
【０００３】
【特許文献１】特開２００４−２９９３７４
【考案の概要】
【考案が解決しようとする課題】
【０００４】
しかし、曜日の確認は、現在の該当する日が属する月を含めて二か月乃至三か月先の月の日が主として対象となるが、更に三か月乃至四か月先の月の日の曜日の確認も対象となることもある。上記のように各月間カレンダーは、同じ面積で表示されている。つまり、確認の頻度が少ない三か月乃至四か月先の月の月間カレンダーの面積も、確認の頻度が高い現在の該当する日が属する月を含めて二か月乃至三か月先の月の月間カレンダーの面積も、同じになっている。よって、カレンダーの面積を有効に活用できていない。
【０００５】
本考案は、面積を有効に活用できるカレンダーを提供することを目的とする。
【課題を解決するための手段】
【０００６】
（１）上記目的達成のため第１の考案は、
連続する第１の数の月の月間カレンダーと、
前記第１の数の月よりも時間的遅い連続する第２の数の月の月間カレンダーと、
を表示するカレンダーであって、
前記第１の数の月の月間カレンダーの各々の第１の面積は、前記第２の数の月の月間カレンダーの各々の第２の面積より大きい
ことを特徴とするカレンダーである。
（２）前記第１の数は、前記第２の数より多いことを特徴する（１）に記載のカレンダー。
（３）前記第１の数は３であり、前記第２の数は２である上記（１）又は（２）に記載のカレンダー。
【考案の効果】
【０００７】
請求項１に記載の考案は、カレンダーの面積を有効に活用できる。
請求項２に記載の考案は、カレンダーの面積をより有効に活用できる。最初の数か月は、面積が大きく文字も見やすくなっているので、時間的に近い日程の確認が容易であり、さらに時間的に先になる日程の確認も可能とできる。
請求項３に記載の考案は、５か月分の日付を１頁で表示できるので、カレンダーの面積を有効に活用できる。特に、最初の３か月は、面積が大きく文字も見やすくなっているので、時間的に近い日程の確認が容易であり、さらに時間的に先になる日程の確認も可能とできる。
【図面の簡単な説明】
【０００８】
【図１】カレンダー１０を示す図である。
【図２】第１の５か月間カレンダー１２Ａが、その下端側がもたれて、めくられている様子を示す図である。
【考案を実施するための形態】
【０００９】
以下、本考案の実施の形態を説明する。
図１には、カレンダー１０が示されている。カレンダー１０は、第１の５か月間カレンダー１２Ａ〜第４の５か月間カレンダー１２Ｄを備えている。第１の５か月間カレンダー１２Ａ〜第４の５か月間カレンダー１２Ｄの上端は、力が標準的なユーザの当該力で取り外しできる程度にのり付けられている。よって、第１の５か月間カレンダー１２Ａ〜第４の５か月間カレンダー１２Ｄの各々は、下端側をもってカレンダー１０からはがすことが可能である。
【００１０】
第１の５か月間カレンダー１２Ａ〜第４の５か月間カレンダー１２Ｄは、各５か月間カレンダーの中の時間的に最も早い月の月間カレンダーを基準に、最も早い月の月間カレンダーの月の遅い順に重ねられている。
【００１１】
第１の５か月間カレンダー１２Ａには、１月の月間カレンダー１４Ｎ１、２月の月間カレンダー１４Ｎ２、３月の月間カレンダー１４Ｎ３、４月の月間カレンダー１６Ｎ１、及び５月の月間カレンダー１６Ｎ２が印刷されている。
【００１２】
１月の月間カレンダー１４Ｎ１〜５月の月間カレンダー１６Ｎ２の内の時間的に早い３か月分の１月の月間カレンダー１４Ｎ１〜３月の月間カレンダー１４Ｎ３は、同じ第１の形（長方形）及び同じ面積（第１の面積）であり、時間的遅い残りの２か月分の４月の月間カレンダー１６Ｎ１及び５月の月間カレンダー１６Ｎ２は、同じ第２の形（長方形）及び同じ面積（第２の面積）である。
【００１３】
１月の月間カレンダー１４Ｎ１〜３月の月間カレンダー１４Ｎ３は、４月の月間カレンダー１６Ｎ１及び５月の月間カレンダー１６Ｎ２より上端側に位置する。
【００１４】
１月の月間カレンダー１４Ｎ１〜３月の月間カレンダー１４Ｎ３は、時間的に早い順に上端から下端に向かって、即ち、上から下の上下方向に並んでいる。時間的遅い残りの２か月分の４月の月間カレンダー１６Ｎ１及び５月の月間カレンダー１６Ｎ２は、上下方向には同じ位置であり、上下方向に垂直な左右方向に並んでいる。
【００１５】
１月の月間カレンダー１４Ｎ１、２月の月間カレンダー１４Ｎ２、及び３月の月間カレンダー１４Ｎ３の第１の面積は、４月の月間カレンダー１６Ｎ１及び５月の月間カレンダー１６Ｎ２の第２の面積より大きい。
【００１６】
１月の月間カレンダー１４Ｎ１、２月の月間カレンダー１４Ｎ２、及び３月の月間カレンダー１４Ｎ３の第１の形は、４月の月間カレンダー１６Ｎ１及び５月の月間カレンダー１６Ｎ２の第２の形と相似している。
【００１７】
第２の５か月間カレンダー１２Ｂ〜第４の５か月間カレンダー１２Ｄは、第１の５か月間カレンダー１２Ａと同様のデザインとなっている。
【００１８】
第２の５か月間カレンダー１２Ｂには、図示していないが４月〜８月の月間カレンダーが印刷されている。４月〜８月の月間カレンダーの内の時間的に早い３か月分の４月〜６月の月間カレンダーは、第１の形及び第１の面積であり、時間的遅い残りの２か月分の７月の月間カレンダー及び８月の月間カレンダーは、第２の形及び第２の面積である。
【００１９】
第３の５か月間カレンダー１２Ｃには、図示していないが７月〜１１月の月間カレンダーが印刷されている。７月〜１１月の月間カレンダーの内の時間的に早い３か月分の７月〜９月の月間カレンダーは、第１の形及び第１の面積であり、時間的遅い残りの２か月分の１０月の月間カレンダー及び１１月の月間カレンダーは、第２の形及び第２の面積である。
【００２０】
第４の５か月間カレンダー１２Ｄには、図示していないが１０月〜翌年２月の月間カレンダーが印刷されている。１０月〜翌年２月の月間カレンダーの内の時間的に早い３か月分の１０月〜１２月の月間カレンダーは、第１の形及び第１の面積であり、時間的遅い残りの２か月分の翌年１月の月間カレンダー及び翌年２月の月間カレンダーは、第２の形及び第２の面積である。
【００２１】
上記のように第１の５か月間カレンダー１２Ａ〜第４の５か月間カレンダー１２Ｄの上端は、標準的なユーザの力で取り外しできる程度にのり付けられ、第１の５か月間カレンダー１２Ａ〜第４の５か月間カレンダー１２Ｄは、下端側をもってカレンダー１０からはがすことが可能である。
【００２２】
図２には、第１の５か月間カレンダー１２Ａが、その下端側がもたれて、めくられている様子が示されている。図２に示すように、第１の５か月間カレンダー１２Ａが、その下端側がもたれて、めくられると、第１の５か月間カレンダー１２Ａが重なっていた第２の５か月間カレンダー１２Ｂが、下端側から現れる。具体的には、７月の月間カレンダー１６Ｎ３及び８月の月間カレンダー１６Ｎ４が現れる。
【００２３】
以上説明したように本実施形態のカレンダー１０の第１の５か月間カレンダー１２Ａ〜第４の５か月間カレンダー１２Ｄの各々は、時間的に早い３か月分の月間カレンダーの第１の面積が、時間的遅い残りの２か月分の月間カレンダーの第２の面積より大きくないようにデザインされている。よって、現在の日に時間的近い月の月間カレンダーの面積を、現在より時間的遠い月の月間カレンダーの面積より大きくすることができる。従って、現在の日に時間的近い月の各日の曜日をより認識し易くなる。よって、カレンダーの面積を有効に活用できる。
【００２４】
前述した本実施の形態では、長方形及び第１の面積の月間カレンダーを３つ（第１の数）表示し、長方形及び第２の面積の月間カレンダーを２つ（第２の数）表示しているが、第１の数は、３ではなく、２、４以上でもよく、第２の数は、２ではなく、１、３以上でもよい。
【符号の説明】
【００２５】
１０                 カレンダー
１２Ａ〜１２Ｄ       月間カレンダー
１４Ｎ１〜１４Ｎ３   月間カレンダー
１６Ｎ１〜１６Ｎ４   月間カレンダー
【図１】
0003202043.tif 000003
【図２】
0003202043.tif 000004